(57)【要約】【課題】キャスト時の飛距離に優れた釣り用リップ付きルアーを提供すること。【解決手段】ルアー１は前方に突出したリップ３を備える。リップ３は、リップ３の左右方向の両端部に形成されるとともにリップ３の左右方向の中間部４の上面に対して上側に屈曲した屈曲端部５、５を有している。【選択図】図１
0003225743.tif 000002
【実用新案登録請求の範囲】
【請求項１】
前方に突出したリップを備え、
前記リップは、前記リップの左右方向の両端部に形成されるとともに前記リップの左右方向の中間部の上面に対して上側に屈曲した屈曲端部を有している釣り用リップ付きルアー。
【請求項２】
前記リップの前記中間部の上面が略平坦状に形成されている請求項１記載の釣り用リップ付きルアー。
【請求項３】
前記リップの形状は、前記リップの中心軸線を通る鉛直面に対して左右対称形状であり、
前リップの前記中間部の上面が前記リップの突出方向の全体に亘って略平坦状に形成されており、
前記リップの前記両屈曲端部は、前記リップの前記両端部に、前記リップの左右両側縁部に沿って前記リップの先端から基端方向に連続的に形成される一方、前記リップの前記両端部における前記リップの基端から基端近傍までの部分には形成されていない請求項１又は２記載の釣り用リップ付きルアー。
【考案の詳細な説明】
【技術分野】
【０００１】
本考案は釣り用のリップ付きルアーに関する。
【背景技術】
【０００２】
ルアーフィッシングに用いられるルアーとして、リップ付きのもの（例：リップ付きプラグルアー）が知られている（例えば特許文献１、２参照）。
【０００３】
このリップ付きルアーでは、ボディーと呼ばれるルアー本体の前部（頭部）にリップが前方に突出して設けられている。このルアーによれば、ルアーを水中へキャストしてリーリングすると、リップの上面が水の抵抗を受けることでルアーが恰も魚が泳いでいるように左右に揺れながら水中や水面を移動し、釣りたい魚を誘引する。
【先行技術文献】
【特許文献】
【０００４】
【特許文献１】特開２０１７−１２７２３６号公報
【特許文献２】特開２０１８−１４３２２４号公報
【考案の概要】
【考案が解決しようとする課題】
【０００５】
このようなリップ付きルアーを用いて魚を釣る場合、一般にルアーは釣りたい魚がいそうな場所やその近傍にキャストされるが、このキャストポイントが遠い場合、ルアーにはキャスト時にルアーがキャストポイントに到達するように飛距離が要求される。
【０００６】
そこで本考案は、キャスト時の飛距離に優れた釣り用リップ付きルアーを提供することを目的とする。
【課題を解決するための手段】
【０００７】
本考案は以下の手段を提供する。
【０００８】
１）  前方に突出したリップを備え、
前記リップは、前記リップの左右方向の両端部に形成されるとともに前記リップの左右方向の中間部の上面に対して上側に屈曲した屈曲端部を有している釣り用リップ付きルアー。
【０００９】
２）  前記リップの前記中間部の上面が略平坦状に形成されている前項１記載の釣り用リップ付きルアー。
【００１０】
３）  前記リップの形状は、前記リップの中心軸線を通る鉛直面に対して左右対称形状であり、
前リップの前記中間部の上面が前記リップの突出方向の全体に亘って略平坦状に形成されており、
前記リップの前記両屈曲端部は、前記リップの前記両端部に、前記リップの左右両側縁部に沿って前記リップの先端から基端方向に連続的に形成される一方、前記リップの前記両端部における前記リップの基端から基端近傍までの部分には形成されていない前項１又は２記載の釣り用リップ付きルアー。
【考案の効果】
【００１１】
本考案は以下の効果を奏する。
【００１２】
前項１では、リップがリップの左右方向の中間部に対して上側に屈曲した屈曲端部を有することにより、キャストされたルアーの飛距離を長くすることができる。
【００１３】
前項２では、リップの左右方向の中間部の上面が略平坦状に形成されていることにより、リーリング時にルアーが確実に左右に揺れるようなり、そのため、釣りたい魚を誘引するのに効果的なルアーアクションを確実に得ることができる。
【００１４】
前項３では、キャスト時にルアーの飛距離を確実に長くすることができるし、キャスト時のルアーのコントロール性能が向上するし、さらに、リーリング時にルアーが適度に左右に揺れるようになるため、効果的なルアーアクションを確実に得ることができる。
【図面の簡単な説明】
【００１５】
【図１】図１は本考案の一実施形態に係る釣り用ルアーの斜視図である。
【図２】図２は同ルアーの側面図である。
【図３】図３は同ルアーの平面図である。
【図４】図４は同ルアーの正面図である。
【図５】図５は図３中のＡ−Ａ線断面図である。
【考案を実施するための形態】
【００１６】
本考案の好ましい一実施形態について図面を参照して以下に説明する。
【００１７】
本実施形態に係る釣り用リップ付きルアー１は、図１〜４に示すように、リップ付きプラグルアーとも呼ばれているものであり、ルアー本体（ボディー）２とルアー本体２の前部（詳述すると前端部）にルアー本体２に対して突出して固定状態に設けられた略板状のリップ３とを備えている。
【００１８】
ルアー本体２に対するリップ３の突出方向Ｐは前方であり詳述すると前斜め下方である。すなわち本明細書及び特許請求の範囲では、リップ３の突出方向Ｐである「前方」の語は前斜め下方をも含む意味で用いられる。
【００１９】
ルアー本体２は、釣りたい魚の餌となる魚を概略的に模した形状のものである。ルアー本体２の材料は限定されるものではなく、具体的にはプラスチック、発泡ウレタン、木などである。ルアー１の所定箇所（例えばルアー本体２の内部）にはルアー１のバランスを取るための錘が配置されていてもよい。
【００２０】
ルアー本体２の所定箇所（具体的にはルアー本体２の後端部及び前後方向の中間部の下部）にはそれぞれフック（図示せず）が接続されるフック接続部としてのフックアイ２ａが設けられている。
【００２１】
リップ３はプラスチック等の硬質樹脂製である。ただし、本考案ではリップ３の材料は限定されるものではない。
【００２２】
リップ３及びルアー本体２の形状（即ちルアー１全体の形状）は、図３及び４に示すように。リップ３の突出方向Ｐに延びる中心軸線（一点鎖線で示す）Ｃを通る鉛直面に対して左右対称形状である。
【００２３】
さらに、図３に示すように、リップ３の平面視形状は、リップ３の基端からリップ３の突出方向Ｐの略中間位置までの部分はリップ３の突出方向Ｐにおいて幅広状に形成されるとともにリップ３の突出方向Ｐの略中間位置から先端までの部分はリップ３の突出方向において幅狭状に形成されている。
【００２４】
リップ３の左右方向の中間部４の上面は、リップ３の突出方向Ｐの全体に亘って平坦状に形成されている。
【００２５】
さらに、リップ３の左右方向の両端部には、リップ３の左右方向の中間部４の上面に対して上側（詳述すると斜め上側）に局部的に屈曲した屈曲端部５、５がリップ３の左右両側縁部に沿ってリップ３の先端から基端方向に連続して形成される一方、リップ３の左右方向の両端部におけるリップ３の基端から基端近傍までの部分３ａには屈曲端部５が形成されていない。そのため、リップ３の上面におけるリップ３の基端から基端近傍までの部分はリップ３の左右方向の全体に亘って平坦状である。
【００２６】
リップ３の上面におけるリップ３の中心軸線Ｃ上には、ライン１０（図２中にて二点鎖線で示す）が接続されるライン接続部としてのラインアイ６が上方に若干突出して設けられている。本実施形態では、詳述すると、ラインアイ６はリップ３の突出方向Ｐにおけるリップ３の上面の中心軸線Ｃ上の略中間位置に設けられている。
【００２７】
なお本考案では、ラインアイ６は、その他に、リップ３の上面の中心軸線Ｃ上の先端側の位置に設けられていてもよいし基端側の位置に設けられていてもよい。
【００２８】
本実施形態のルアー１によれば、リップ３の左右方向の両端部に屈曲端部５、５が形成されているので、キャストされたルアー１の飛行姿勢が安定して飛距離を長くすることができる。そのため、キャストポイントが遠い場合でもルアー１を当該ポイントにキャストすることができる。
【００２９】
ここで、リップ３の左右方向の両端部に屈曲端部５、５が形成されることによりルアー１の飛距離が長くなる原因については定かではないが、リップ３の左右の両屈曲端部５、５がルアー１のウィングレットとして作用するため（即ちウィングレット効果によるもの）と推測される。
【００３０】
さらに、リップ３の左右方向の中間部４の上面が平坦状であることにより、リーリング時にルアー１が確実に左右に揺れるようなり、そのため、釣りたい魚を誘引するのに効果的なルアーアクションを確実に得ることができる。
【００３１】
これに対して、リップ３全体がリップ３の中心軸線Ｃを中心に横断面Ｖ字状に屈曲しているルアー（図示せず）の場合は、リーリング時にルアーが左右に揺れにくく、そのため効果的なルアーアクションを得にくい。
【００３２】
さらに本実施形態のルアー１によれば、上述したように、リップ３の左右の両屈曲端部５、５は、リップ３の左右方向の両端部に、リップ３の左右両側縁部に沿ってリップ３の先端から基端方向に連続的に形成される一方、リップ３の左右方向の両端部におけるリップ３の基端から基端近傍までの部分３ａ、３ａには形成されていない。これにより、キャストされたルアー１の飛行姿勢が確実に安定して飛距離を確実に長くすることができるしキャスト時のルアー１のコントロール性能が向上し、さらに、リーリング時にはルアー１が適度に左右に揺れるようになるため、効果的なルアーアクションを確実に得ることができる。
【００３３】
この部分３ａの長さＬ１（図３参照）は限定されるものではなく、特に好ましくはリップ３の全長Ｌ０に対して１０％〜３０％の範囲に設定されることがよい。
【００３４】
本実施形態のルアー１の上述した効果を確実に得るためのリップ３の特に好ましい条件は以下のとおりである。
【００３５】
すなわち、図５に示すように、リップ３の左右方向の中間部４の上面に対する左右の両屈曲端部５、５の表面（上面）の屈曲角θは互いに等しく設定されており、更に、各屈曲角θの最大値が１４°〜３９°の範囲に設定されていることが特に好ましい。なお、同図のルアー１では各屈曲角θの最大値が２５°に設定されている。
【００３６】
また、左右の両屈曲端部５、５の表面（上面）に沿う幅Ｗ１は互いに等しく設定されており、更に、各幅Ｗ１の最大値が当該最大値の位置におけるリップ３の左右方向の中間部４の上面の幅Ｗ０に対して１０％〜３６％の範囲に設定されていることが特に好ましい。
【００３７】
また、図３に示すように、ルアー１の平面視において、リップ３全体の最大幅Ｗ２はルアー本体２の最大幅Ｗ３に対して８０％〜１５０％の範囲に設定されていることが特に好ましい。
【００３８】
以上で本考案の実施形態について説明したが、本考案では上記実施形態に限定されるものではなく、本考案の要旨を逸脱しない範囲で様々に変更可能である。
【産業上の利用可能性】
【００３９】
本考案は釣り用のリップ付きルアーに利用可能である。
【符号の説明】
【００４０】
１：ルアー
２：ルアー本体
３：リップ
４：リップの左右方向の中間部
５：リップの屈曲端部
Ｐ：リップの突出方向
Ｃ：リップの中心軸線
【図１】
0003225743.tif 000003
【図２】
0003225743.tif 000004
【図３】
0003225743.tif 000005
【図４】
0003225743.tif 000006
【図５】
0003225743.tif 000007
【手続補正書】
【提出日】令和2年1月30日(2020.1.30)
【手続補正１】
【補正対象書類名】実用新案登録請求の範囲
【補正対象項目名】全文
【補正方法】変更
【補正の内容】
【実用新案登録請求の範囲】
【請求項１】
前方に突出したリップを備え、
前記リップは、前記リップの左右方向の両端部に形成されるとともに前記リップの左右方向の中間部の上面に対して上側に屈曲した屈曲端部を有している釣り用リップ付きルアー。
【請求項２】
前記リップの前記中間部の上面が略平坦状に形成されている請求項１記載の釣り用リップ付きルアー。
【請求項３】
前記リップの形状は、前記リップの中心軸線を通る鉛直面に対して左右対称形状であり、
前記リップの前記中間部の上面が前記リップの突出方向の全体に亘って略平坦状に形成されており、
前記リップの前記両屈曲端部は、前記リップの前記両端部に、前記リップの左右両側縁部に沿って前記リップの先端から基端方向に連続的に形成される一方、前記リップの前記両端部における前記リップの基端から基端近傍までの部分には形成されていない請求項１又は２記載の釣り用リップ付きルアー。
【手続補正２】
【補正対象書類名】明細書
【補正対象項目名】００１０
【補正方法】変更
【補正の内容】
【００１０】
３）  前記リップの形状は、前記リップの中心軸線を通る鉛直面に対して左右対称形状であり、
前記リップの前記中間部の上面が前記リップの突出方向の全体に亘って略平坦状に形成されており、
前記リップの前記両屈曲端部は、前記リップの前記両端部に、前記リップの左右両側縁部に沿って前記リップの先端から基端方向に連続的に形成される一方、前記リップの前記両端部における前記リップの基端から基端近傍までの部分には形成されていない前項１又は２記載の釣り用リップ付きルアー。